(57)【特許請求の範囲】
【請求項１】
パーティションの壁面に沿って横方向にスライド可能に備えられ、下端部に、床面に接してスライド方向に移動可能な移動部材を設けたパーティション用スライドドアであって、
前記スライドドアに、上方が開口する第１案内溝と、下方が開口する第２案内溝を、その溝方向が前記スライド方向となるように設け、
前記第１案内溝と第２案内溝に対し、その溝方向に、夫々相対移動可能な案内部と、前記パーティションに対して取外し可能に取付ける取付部と、を有する取付具を備えたことを特徴とするパーティション用スライドドア。
【請求項２】
パーティションの壁面に沿って横方向にスライド可能に備えられ、下端部に、床面に接してスライド方向に移動可能な移動部材を設けたパーティション用スライドドアであって、
前記スライドドアに、上方が開口する第１案内溝と、下方が開口する第２案内溝を、その溝方向が前記スライド方向となるように設け、
複数のローラを回転可能に備えた案内部と、前記パーティションに対して取外し可能に取付ける取付部と、を有する取付具を複数有し、
前記第１案内溝と第２案内溝に対し、夫々、前記案内部のローラを、前記溝方向に相対移動可能に備えたことを特徴とするパーティション用スライドドア。
【請求項３】
前記パーティションの側枠に、開口部を有する横断面がＣ状の取付溝を、パーティションの上下方向に設け、該取付溝に対して前記取付部を取外し可能に取り付けることができることを特徴とする請求項１又は２記載のパーティション用スライドドア。
【請求項４】
パーティションの壁面に沿って横方向にスライド可能に備えられ、下端部に、床面に接してスライド方向に移動可能な移動部材を設け、上方が開口する第１案内溝と、下方が開口する第２案内溝を、その溝方向が前記スライド方向となるように設けたパーティション用スライドドアに用いる取付具であって、
前記第１案内溝又は第２案内溝に対し、その溝方向に相対移動可能に取付ける案内部と、前記パーティションに対して取外し可能に取付ける取付部と、を有することを特徴とする取付具。
【請求項５】
パーティションの壁面に沿って横方向にスライド可能に備えられ、下端部に、床面に接してスライド方向に移動可能な移動部材を設け、上方が開口する第１案内溝と、下方が開口する第２案内溝を、その溝方向が前記スライド方向となるように設けたパーティション用スライドドアに用いる取付具であって、
複数個のローラを回転可能に備えた案内部と、前記パーティションに対して取外し可能に取付ける取付部とを、有し、
前記第１案内溝又は第２案内溝に対し、前記案内部のローラを、その溝方向に相対移動可能に取付けることができることを特徴とする取付具。
【発明の詳細な説明】
【技術分野】
【０００１】
本発明はパーティション用スライドドア及びそれに用いる取付具に関するものである。
【背景技術】
【０００２】
従来、部屋の一部を仕切って区画された空間を形成するローパーティションが知られており、この区画された空間への入口に、スライド式に開閉するスライドドアを設けたものとして、ローパーティションの上端部と下端部にスライドレールを設け、該スライドレールに対して、前記スライドドアをスライド可能に備えたものが知られている。
【０００３】
前記スライドレールは、前記ローパーティションに固定されたパネル側レールと、前記スライドドア側に固定されたドア側レールと、この両レール間に設けた中レールとで構成され、パネル側レールと中レールとの間、及び、ドア側レールと中レールとの間には、複数の球やコロが配設され、前記スライドドアを、前記スライドレールに対して吊下げて取り付けられている（例えば、特許文献１参照）。
【先行技術文献】
【特許文献】
【０００４】
【特許文献１】特開２００８−７９４２号公報
【発明の開示】
【発明が解決しようとする課題】
【０００５】
前記従来技術のスライドドアは、スライドレールを介してパーティションに対して吊下げて設けられているために、スライドドアが、パーティションから脱落しないように、スライドレールの支持強度を高くする必要があり、スライドレールやスライドドアの製造コストも高くなるという問題がある。
【０００６】
また、前記のように、パーティションに対してスライドドアを強固に取付ける必要があるため、スライドドアとそれを取付けるパーティションとは、一体として販売されている。
【０００７】
そのため、パーティションを既に購入している顧客が、入口にスライドドアを取付けようとする際には、スライドドアが取付けられたパーティションを購入して、既設のパーティションの一部と取り替える必要があり、取り替えた既設のパーティションの一部が不要となる問題がある。
【０００８】
また、入口における一方のパーティションに取り付けていたスライドドアを、他方のパーティションに対して取り付けたり、パーティションの外側に取り付けていたスライドドアを内側に取り付ける等の取付位置を変更するためには、スライドレールの取付位置等を変更する必要があり、手間がかかるという問題がある。
【０００９】
また、パーティションとスライドドアの両方に、その長手方向にレールが設けられており、このレールが外部から視認できてしまうという問題点がある。
【００１０】
そこで、本発明は、これらの問題点を解決したパーティション用スライドドア及びそれに用いる取付具を提供することを目的とするものである。
【課題を解決するための手段】
【００１１】
前記課題を解決するために、請求項１記載の発明は、パーティションの壁面に沿って横方向にスライド可能に備えられ、下端部に、床面に接してスライド方向に移動可能な移動部材を設けたパーティション用スライドドアであって、
前記スライドドアに、上方が開口する第１案内溝と、下方が開口する第２案内溝を、その溝方向が前記スライド方向となるように設け、
前記第１案内溝と第２案内溝に対し、その溝方向に、夫々相対移動可能な案内部と、前記パーティションに対して取外し可能に取付ける取付部と、を有する取付具を備えたことを特徴とするパーティション用スライドドアである。
【００１２】
請求項２記載の発明は、パーティションの壁面に沿って横方向にスライド可能に備えられ、下端部に、床面に接してスライド方向に移動可能な移動部材を設けたパーティション用スライドドアであって、
前記スライドドアに、上方が開口する第１案内溝と、下方が開口する第２案内溝を、その溝方向が前記スライド方向となるように設け、
複数のローラを回転可能に備えた案内部と、前記パーティションに対して取外し可能に取付ける取付部と、を有する取付具を複数有し、
前記第１案内溝と第２案内溝に対し、夫々、前記案内部のローラを、前記溝方向に相対移動可能に備えたことを特徴とするパーティション用スライドドアである。
【００１３】
請求項３記載の発明は、請求項１又は２記載のパーティション用スライドドアにおいて、前記パーティションの側枠に、開口部を有する横断面がＣ状の取付溝を、パーティションの上下方向に設け、該取付溝に対して前記取付部を取外し可能に取り付けることができることを特徴とするものである。
【００１４】
請求項４記載の発明は、パーティションの壁面に沿って横方向にスライド可能に備えられ、下端部に、床面に接してスライド方向に移動可能な移動部材を設け、上方が開口する第１案内溝と、下方が開口する第２案内溝を、その溝方向が前記スライド方向となるように設けたパーティション用スライドドアに用いる取付具であって、
前記第１案内溝又は第２案内溝に対し、その溝方向に相対移動可能に取付ける案内部と、前記パーティションに対して取外し可能に取付ける取付部と、を有することを特徴とする取付具である。
【００１５】
請求項５記載の発明は、パーティションの壁面に沿って横方向にスライド可能に備えられ、下端部に、床面に接してスライド方向に移動可能な移動部材を設け、上方が開口する第１案内溝と、下方が開口する第２案内溝を、その溝方向が前記スライド方向となるように設けたパーティション用スライドドアに用いる取付具であって、
複数個のローラを回転可能に備えた案内部と、前記パーティションに対して取外し可能に取付ける取付部とを、有し、
前記第１案内溝又は第２案内溝に対し、前記案内部のローラを、その溝方向に相対移動可能に取付けることができることを特徴とする取付具である。
【発明の効果】
【００１６】
本発明は、スライドドアをパーティションに対して吊下げるのではなく、そのスライドドアの下端部に、床面に接してスライド方向に移動可能な移動部材を設けたことにより、スライドドアの荷重を床面で受けることとなり、スライドドアのパーティションへの取付・支持強度が、前記従来技術ほど要求されることなく、簡易な取付手段でも安定してパーティションに対してスライドドアをスライド可能に取り付けることができる。
【００１７】
また、スライドドアのパーティションへの取付・支持強度が、前記従来技術ほど要求されないことから、スライドドアをパーティションに取り付けた状態ではなく、スライドドアのみを販売し、既設のパーティションに対して取付けるようにすることができる。これにより、既設のパーティションが不要となることがない。
【００１８】
また、前記第１案内溝と第２案内溝に対し、夫々その溝方向に相対移動可能な案内部と、前記パーティションに対して取外し可能に取付ける取付部と、を有する取付具でスライドドアをパーティションに取付けることにより、前記従来技術よりも小さな取付具とすることができ、取付具が外部から視認できる部分を大幅に少なくすることが出来る。
【００１９】
スライドドアの第１案内溝と第２案内溝に対し取付具の案内部を取付け、パーティションに対して、取付具の取付部を取り付けるのみで、スライドドアをパーティションに取り付けることができるため、スライドドアを入口の左右に位置するパーティションに対して付け換えたり、パーティションの外側と内側とにスライドドアを付け換えるなどの、スライドドアの取付位置の変更が容易に行える。
【図面の簡単な説明】
【００２０】
【図１】本発明の実施例１におけるスライドドアをパーティションに取り付けた状態の外側（正面）から見た斜視図。
【図２】図１の状態から、スライドドアを閉じた状態の外側（正面）から見た図。
【図３】図２の上面図。
【図４】図２の状態から入口を開いた状態の上面図。
【図５】本発明の実施例１に用いる第１取付具の外側（正面）から見た斜視図。
【図６】図５の第１取付具を内側（背面）から見た斜視図。
【図７】図５の第１取付具の上面図。
【図８】図７の正面図。
【図９】図７の右側面図。
【図１０】本発明の実施例１に用いる第２取付具の斜視図。
【図１１】図２における第１取付具の取付け状態を示すＸ−Ｘ線拡大縦断面図。
【図１２】図２における第２取付具の取付け状態を示すＹ−Ｙ線拡大縦断面図。
【図１３】図２におけるＺ−Ｚ線拡大横断面図。
【図１４】本発明の実施例１におけるスライドドアをパーティションの内側に取り付けた状態の外側（正面）から見た斜視図。
【図１５】本発明の実施例２におけるスライドドアと、パーティションと、第１取付具の関係を示す部分拡大縦断面図。
【発明を実施するための形態】
【００２１】
本発明を実施するための形態を図１乃至図１５に示す実施例に基づいて説明する。
【実施例１】
【００２２】
図１乃至図１４は、実施例１を示す。
【００２３】
図１乃至４は、本発明の実施例１のパーティション用スライドドア（以下、スライドドアという）１を、据え付けられたローパーティション（以下、パーティションともいう）２に対し、その壁面に沿って横方向にスライド可能に取り付けた状態の図である。
【００２４】
図１〜４に示すように、離間して設けられた一対のパーティション２，３の両対向端部間には、複数のパーティションにより区画された空間４への入口５が形成され、該入口５は、前記スライドドア１を横方向にスライドすることにより開閉することができるようになっている。以下において、前記空間４の外側を前Ａ側、内側を後Ｂ側とし、図２における右側をＣ、左側をＤとし、前記パーティション２，３が据え付けられた状態における上方を上側、下方を下側として説明する。
【００２５】
前記パーティション２，３は、夫々、左右において１対の側枠１０，１０を有し、両側枠１０，１０の上端間には上枠１２が、下端間には下枠１３が架設され、上枠１２と下枠１３との間には、複数の中枠１４が架設されている。前記両側枠１０，１０間には、複数のパネル板１５が固設されている。
【００２６】
前記パーティション２，３における両側枠１０，１０の左右Ｃ−Ｄ方向の外側部には、該パーティション２，３と他のパーティション又は連結ポール６との連結に用いる連結金具７等を挿入するための取付溝１１が形成されている。
【００２７】
この取付溝１１は、パーティション２，３の上端部から下端部全長に亘って形成されている。前記側枠１０は、図５，１３に示すような型材で形成され、その横断面形状において、底板１１ａと、該底板１１ａの両側からパネルの左右Ｃ−Ｄ方向の外側に向かって突出する両側板１１ｂ，１１ｂと、該両側板１１ｂ，１１ｂの外側端から、該両側板１１ｂ，１１ｂと直交し、パネルの前後Ａ−Ｂ方向の内側に向かって突出する突片１１ｃ，１１ｃと、で前記取付溝１１が形成されている。前記両突片１１ｃ，１１ｃの前後Ａ−Ｂ方向の内側端１１ｄ，１１ｄは離間し、これらの間には開口部１１ｅが形成されている。すなわち、前記取付溝１１は、パネルの左右Ｃ−Ｄ方向の外側が開口１１ｅし、該開口部１１ｅより奥部が広い、横断面におけるその内側面形状がＣ状に形成されている。この取付溝１１内は、パーティション２，３の上方から前記連結金具７等を挿入することができるようになっている。
【００２８】
前記スライドドア１は、その左右において１対の支柱２２，２２を有し、この両支柱２２，２２の下端には、スライドドア１のスライド方向（左右Ｃ−Ｄ方向）にのみ移動可能な移動部材２３，２３が備えられている。本実施例においては、該移動部材２３としてキャスターを用いた。
【００２９】
前記支柱２２，２２の上端部間には上棧２４が架設され、また、支柱２２，２２の下部間には下棧２５が架設されている。前記上棧２４には、図５，１１に示すように、その上方が開口する有底状の第１案内溝２６が、上棧２４の長手方向（左右Ｃ−Ｄ方向）全長に亘って形成され、第１案内溝２６の両側端は、前記支柱２２，２２により閉塞されている。
【００３０】
前記下棧２５には、図１２に示すように、下方が開口する有底状の第２案内溝２７が下棧２５の長手方向（左右Ｃ−Ｄ方向）全長に亘って形成され、第２案内溝２７の両側端は、前記支柱２２，２２により閉塞されている。支柱２２，２２間で、かつ、上棧２４と下棧２５間にはパネル板２８が固設されている。
【００３１】
前記案内溝２６，２７の前後の内側面には、図１１，１２に示すように、夫々内側へ突出する凸部２９が、案内溝２６，２７の長手方向（溝方向）全長に亘って形成され、該凸部２９は、案内溝２６，２７の上下方向において複数設けられている。
【００３２】
前記スライドドア１の高さ及び左右Ｃ−Ｄ方向の長さは、入口５の幅、及び、パーティション２の高さに応じて任意に設定される。
【００３３】
次に、スライドドア１をパーティション２に対して取付ける際に用いる２種類の第１取付具３１と第２取付具４１について説明する。以下において、図１〜３に示すように、入口５の左側に位置するパーティション２の外側に、取付具３１，４１を用いてスライドドア１を取り付けた状態での、前記空間４の外側を前Ａ側、内側を後Ｂ側とし、図２，７における右側をＣ、左側をＤとし、前記パーティション２，３が据え付けられた状態における上方を上側、下方を下側として説明する。
【００３４】
先ず、第１取付具３１について図５〜１１，１３に基づいて説明する。
【００３５】
第１取付具３１は、図５〜９に示すように、本体部３２を有している。該本体部３２は、金属製の板から形成され、かつ、略水平方向に配置され、図７に示すように、長手方向が左右Ｃ−Ｄ方向に位置する長方形状の第１本体部３２ａと、該第１本体部３２ａと直交し、かつ、長手方向が前後Ａ−Ｂ方向に位置する長方形状の第２本体部３２ｂとで、上面がＬ字状となるように形成されている。前記第２本体部３２ｂには、その短手方向（左右Ｃ−Ｄ方向）の内側端部で、かつ、第１本体部３２ａ側において切欠３２ｃが形成されている。
【００３６】
前記第２本体部３２ｂの短手方向（左右Ｃ−Ｄ方向）の内側端には、該第２本体部３２ｂと略直交するように下側方向に曲折された押え板３３が形成されている。該押え板３３の略中央部には、その表裏を貫通する貫通穴３３ａが形成されている。押え板３３の下端には、前記本体部３２から外側方向に突出する回転防止部材３３ｂが曲折固設されている。該回転防止部材３３ｂの前後幅は、前記取付溝１１の開口幅より短く設定されている。
【００３７】
前記貫通孔３３ａには、ボルト３４が、その頭部３４ａが本体部３２側に位置するように挿通され、そのボルト３４における前記押え板３３から突出した雄ネジには、板状の係止部材３５が、その雌ネジを螺合して備えられている。前記ボルト３４を正逆回転することにより、係止部材３５は回転防止部材３３ｂにより供廻りを防止されて回転せず、押え板３３と係止部材３５間の距離を、調節することができるようになっている。
【００３８】
前記押え板３３と、係止部材３５と、ボルト３４と、回転防止部材３３ｂとで取付部３７を構成している。
【００３９】
前記係止部材３５は、略方形に形成され、その前後Ａ−Ｂ方向の長さは、図１３に示すように、取付溝１１の前後Ａ−Ｂ方向の長さよりも若干短く、かつ、取付溝１１の開口部１１ｅの幅よりも長く設定され、係止部材３５が開口部１１ｅから外脱せず、また、ボルト３４と共回りしないように設けられている。
【００４０】
前記第１本体部３２ａの短手方向（前後Ａ−Ｂ方向）における前記押え板３３とは反対側端には、該第１本体部３２ａと略直交するように下側方向に曲折された曲折部３２ｄが形成され、該曲折部３２ｄの下側端には、該曲折部３２ｄと略直交するように外側方向（水平方向）に曲折したローラ取付け板３８が固設さている。すなわち、該ローラ取付け板３８と前記本体部３２とは略平行に形成されている。
【００４１】
該ローラ取付け板３８には、長手方向（左右Ｃ−Ｄ方向）に２個のローラ３９，３９が、適宜間隔を有して配置され、該両ローラ３９，３９は、本体部３２と平行面の方向、すなわち、パーティション２に取り付けた際に、垂直方向の軸を中心軸として、略水平方向に回転可能に設けられている。前記ローラ３９の外径は、前記ローラ取付け板３８の短手方向（前後Ａ−Ｂ方向）の幅より大きく、かつ、前記案内溝２６，２７における左右の凸部２９，２９間の距離と同じか、若干小さく設定されている。これにより、ローラ取付け板３８及びローラ３９を、前記案内溝２６，２７内に挿入することが出来、ローラ３９を挿入した際に、ローラ３９の外周面と、前記左右の凸部２９，２９とが接触係合し、ローラ３９が回転できるようになっている。
【００４２】
前記ローラ取付け板３８と、ローラ３９，３９により、案内部４０が構成されている。
【００４３】
第２取付具４１は、図１０，１２に示すように、前記第１取付具３１とは左右対掌の形状に形成されたこと以外は、前記第１取付具３１と同様の構造を有し、第２取付具４１と第１取付具３１とは鏡像関係にある。そのため、第２取付具４１の構造は、図１０，１２に示し、前記第１取付具３１と同様の部材には前記と同一の符号を付してその説明を省略する。なお、図１２に示す第２取付具４１は、図６に示す第１取付具３１と鏡像関係にあることを示すために、図１０に示す第２取付具４１を、左右Ｃ−Ｄ方向に１８０度反転した状態のものを図示してある。
【００４４】
次に、図１〜４に示す入口５の左側に位置するパーティション２の外側にスライドドア１を取り付ける方法について説明する。
【００４５】
先ず、第２取付具４１におけるボルト３４を緩めて、取付部３７の押え板３３と係止部材３５間の距離を、取付溝１１の突片１１ｃの厚みよりも大きくする。
【００４６】
次に、第２取付具４１を、図１２に示すように、ローラ３９，３９が前方Ａでかつ上向きに位置する状態で、パーティション２の上方から、図１２に示すように、取付部３７の係止部材３５を側枠１０の取付溝１１内に挿入して、側枠１０の下部まで移動させる。このとき、回転防止部材３３ｂは、取付溝１１の開口部１１ｃに位置している。
【００４７】
次に、スライドドア１を、その左右の移動部材２３，２３が床面に接した状態で、パーティション２に対して所定の位置、例えば、図１，３に示すように配置する。
【００４８】
次に、第２取付具４１を、上方に移動させて、ローラ３９を、下方からスライドドア１の第２案内溝２７内に挿入し、図１２に示すように、案内部４０が第２案内溝２７内の所定の位置となるように配置する。
【００４９】
次に、第２取付具４１のボルト３４を締めて、押え板３３と係止部材３５により、取付溝１１の突片１１ｃ，１１ｃを挟持して第２取付具４１をパーティション２に対して固定する。このとき、第２取付具４１のローラ３９と第２案内溝２７の底面との間には隙間が形成され、第２取付具４１にスライドドア１は載置されていない。
【００５０】
次に、第１取付具３１を、図１１に示すように、ローラ３９，３９が前方Ａでかつ下向きに位置する状態で、パーティション２の上方から、取付部３７の係止部材３５を側枠１０の取付溝１１内に挿入して、下方に移動させて、該第１取付具３１のローラ３９を、上方からスライドドア１の第１案内溝２６内に挿入し、図１１に示すように、案内部４０が第１案内溝２６内の所定の位置となるように配置する。
【００５１】
次に、第１取付具３１のボルト３４を締めて、押え板３３と係止部材３５により、取付溝１１の突片１１ｃ，１１ｃを挟持して第１取付具３１をパーティション２に対して固定する。
【００５２】
これにより、図１〜３に示すように、入口５の左側に位置するパーティション２の外側にスライドドア１を、パーティション２の横方向（左右Ｃ−Ｄ方向）にスライド可能に取り付けることができる。また、スライドドア１の案内溝２６，２７が、前記取付具３１，４１の案内部４０のローラ３９に対して、案内溝２６，２７の溝方向（左右Ｃ−Ｄ方向）に、相対的に案内移動されることにより、スライドドア１をスライドすることができる。
【００５３】
以上の構成により、本発明の実施例１におけるスライドドア１は、次のような作用、効果を発揮する。
【００５４】
本発明のスライドドア１は、該スライドドア１をパーティション２に対して吊下げるのではなく、その左右の下端部に移動部材２３，２３を設け、該移動部材２３を床面に接した状態で、該移動部材２３によりスライドドア１を左右Ｃ−Ｄ方向に移動できるようにした。
【００５５】
これにより、前記従来技術のようにスライドドアをパーティションに吊下げるものと比較して、本発明のスライドドア１は、そのパーティション２への取付・支持強度が要求されず、前記のように、取付溝１１部に対して、押え板３３と係止部材３５とによる挟持により、取付具３１，４１をパーティション２に対して固定するような簡易な取付方法でも、安定してパーティション２に対してスライドドア１をスライド可能に取り付けることができる。
【００５６】
また、比較的小さな２個の取付具３１，４１により、スライドドア１をパーティション２に対して取り付け、該取付具３１，４１の案内部４０は、案内溝２６，２７内に位置するため、その取付具が外部から視認できる部分が、前記従来技術よりも大幅に減少することができる。
【００５７】
また、スライドドア１は、既設のパーティション２に設けられている取付溝１１を利用して、取り付けることができるため、既に購入しているパーティション２が不要となることがない。
【００５８】
また、取付具３１，４１の取付状態を、図１１，１２に示す状態から、パーティション２に対して、第１取付具３１を下方に位置させるとともに、ボルト３４部を中心として１８０度反転させ、第２取付具４１を上方に位置させるとともに、ボルト３４部を中心として１８０度反転させて付け換えるのみで、図１４に示すように、スライドドア１をパーティション２の内側Ｂに付け換えることが容易にできる。また、同様に、第１取付具３１を下方に、第２取付具４１を上方に取付けるのみで、入口５の右側に位置するパーティション３の外側にスライドドア１をスライド可能に付け換えることも容易にできる。
【００５９】
また、取付具３１，４１は、取付溝１１に沿って上下方向の高さを容易に変更することができるため、高さの異なるスライドドア１についても容易にパーティション２に対して取り付けることができる。
【実施例２】
【００６０】
図１５は、実施例２を示す。
前記実施例１においては、前記第１取付具３１の案内部４０にローラ３９を設けたが、図１５に示すように、ローラ３９及びローラ取付け板３８を設けず、前記曲折部３２ｄのみで案内部５０を構成し、案内溝２６，２７内には、前記案内部５０を摺動可能に案内する樹脂等の摺動性の良い部材５１を設けるようにしても良い。第２取付具３１についても、同様に、ローラ３９及びローラ取付け板３８を設けず、前記曲折部３２ｄのみで案内部５０を構成してもよい。
【００６１】
その他の構造、構成は、前記実施例１と同様であるので、その説明を省略する。
【００６２】
本実施例２においても、前記実施例１と同様の作用、効果を発揮することができる。
【実施例３】
【００６３】
前記実施例１又は２においては、取付具３１，４１のパーティション２に対する取り付け方法として、横断面形状がＣ状の取付溝１１に対して、取付部３７を取り付けて行ったが、スライドドア１を取り付けるパーティション２の両側枠１０，１０等の形状に応じて、取付具３１，４１の取付部３７の形状及びパーティション２への取付け方法は任意に変更することができる。
【００６４】
例えば、取付具３１，４１の取付部を板状の板部材に形成し、この板部材に貫通穴を設け、該貫通穴に木ネジ等を挿通し、該木ネジ等をパーティション２に固着することにより、取付具３１，４１をパーティション２に取外し可能に取り付けるようにしても良い。
【００６５】
その他の構造、構成は、前記実施例１、２と同様であるので、その説明を省略する。
【００６６】
本実施例３においても、前記実施例１、２と同様の作用、効果を発揮することができる。
【符号の説明】
【００６７】
１  スライドドア
２，３  パーティション
１０  側枠
１１  取付溝
１１ｅ  開口部
２３  移動部材
２６  第１案内溝  
２７  第２案内溝
３１，４１  取付具
３７  取付部
３９  ローラ
４０，５０  案内部
【図１】
0005460515.tif 000002
【図２】
0005460515.tif 000003
【図３】
0005460515.tif 000004
【図４】
0005460515.tif 000005
【図５】
0005460515.tif 000006
【図６】
0005460515.tif 000007
【図７】
0005460515.tif 000008
【図８】
0005460515.tif 000009
【図９】
0005460515.tif 000010
【図１０】
0005460515.tif 000011
【図１１】
0005460515.tif 000012
【図１２】
0005460515.tif 000013
【図１３】
0005460515.tif 000014
【図１４】
0005460515.tif 000015
【図１５】
0005460515.tif 000016